(57)【要約】【課題】遊技者が希望する景品を容易に特定可能とすることにより円滑な景品交換を可能とする景品交換システムを提供する。【解決手段】遊技者が、計数機４の表示部９に表示されたタバコ銘柄の表示部位にタッチ操作を行うことで、景品選択を行うと、選択されたタバコ銘柄の景品情報が記録されたレシートがレシート発行部１２から発行されると共に、当該景品情報がＰＯＳ端末５に送信され、遊技者が景品交換をしに来る前に、計数機４に送信された景品情報が表示部１４で表示される。また、遊技者が景品交換の際に、景品交換カウンタで従業員に提出するレシートの景品情報が読み取られると、カメラ１５で撮像したタバコ棚の最新画像に遊技者が選択した景品の保管場所が、特定可能なように表示部１４に強調表示される。【選択図】図１
2008079795.tif 000002
【特許請求の範囲】
【請求項１】
遊技者が遊技機で遊技することで獲得した遊技媒体を計数する計数手段と、この計数手段が計数した遊技媒体数を特定可能な計数情報を記憶した記憶媒体を発行する発行手段とを有する計数装置と、
前記記憶媒体に記憶された計数情報を読取る読取手段と、この読取手段が読取った計数情報に基づいて景品交換が可能な景品を表示する表示手段とを有する交換装置とを備えた遊技場用景品交換システムにおいて、
前記交換装置は、景品と当該景品が保管されている保管場所とを対応付けた保管情報を記憶する記憶手段を備え、
前記交換装置の前記表示手段は、前記読取手段が前記記憶媒体から読取った前記計数情報に基づいて景品交換が可能な景品を表示する場合に、当該景品の保管場所を特定可能な保管場所情報を前記記憶手段が記憶している前記保管情報に基づいて表示することを特徴とする遊技場用景品交換システム。
【請求項２】
前記計数装置は、遊技者が特定の景品を選択するための景品選択操作を受付可能な景品選択手段を備え、
前記計数装置の前記発行手段は、前記景品選択手段に対して景品選択操作が行なわれた場合に、選択された景品を特定可能な景品情報を前記記憶媒体に記憶して発行し、
前記交換装置の前記表示手段は、前記読取手段が前記記憶媒体から前記景品情報を読取った場合に、対応する景品の保管場所を特定可能な保管場所情報を前記記憶手段が記憶している前記保管情報に基づいて表示することを特徴とする請求項１記載の遊技場用景品交換システム。
【請求項３】
景品の保管場所を撮像する撮像装置を備え、
前記交換装置は、前記撮像装置が撮像した保管場所画像において景品が保管される場所を特定する設定操作を受け付ける設定手段を有し、
前記記憶手段は、前記設定手段が受け付けた設定操作に基づいて景品と当該景品が保管されている場所とを対応付けた保管情報を記憶し、
前記交換装置の前記表示手段は、前記読取手段が前記記憶媒体を読取った場合に、前記記憶手段が記憶している保管情報に基づいて対応する景品の保管場所を特定可能なように前記撮像装置が撮像した保管場所画像を表示することを特徴とする請求項１または２記載の遊技場用景品交換システム。
【請求項４】
前記計数装置は、前記景品選択手段に対して景品選択操作が行なわれた場合に選択された景品を特定可能な景品情報を前記交換装置に与え、
前記交換装置の前記表示手段は、前記計数装置より前記景品情報を得てから前記読取手段が当該景品情報が記憶された前記記憶媒体を読取るまでの交換処理待機期間中に、前記計数装置から得た前記景品情報を表示することを特徴とする請求項１ないし３の何れかに記載の遊技場用景品交換システム。
【発明の詳細な説明】
【技術分野】
【０００１】
本発明は、計数装置から発行された記憶媒体を交換装置で読取ることにより景品交換処理を行う遊技場景品交換システムに関する。
【背景技術】
【０００２】
従来、パチンコホールなどの遊技店では、例えば特許文献１のように遊技者が獲得した遊技媒体と景品とを景品交換カウンタにおいて交換するようにしている。パチンコホールの従業員は、遊技者から口頭により伝えられる景品を保管場所から取って、遊技者に渡していた。
【特許文献１】特開平１０−０７６０６１号公報
【発明の開示】
【発明が解決しようとする課題】
【０００３】
しかしながら、交換業務経験の浅い従業員は、例えば遊技者が希望する銘柄のタバコが何処に保管されているかを把握することが難しく、円滑な交換業務を行うことの支障となっていた。
本発明は上記事情に鑑みてなされたもので、その目的は、遊技者が希望する景品の保管場所を容易に特定可能とすることにより円滑な景品交換を可能とする遊技場用景品交換システムを提供することにある。
【課題を解決するための手段】
【０００４】
請求項１の発明によれば、景品の交換を希望する遊技者は、遊技者が計数手段により計数させた計数情報を記憶した記憶媒体を従業員に渡す。従業員が、記憶媒体の計数情報を交換装置の読取手段によって読み取らすと、交換装置の表示手段には計数情報に基づいて景品交換が可能な景品を表示するとともに、交換装置の記憶手段に記憶されている保管場所情報に基づいて保管場所情報が交換装置の表示手段に表示される。従って、交換業務経験が浅い従業員であっても、交換装置の表示手段の表示に基づいて、遊技者が選択する景品の保管場所を特定することが容易となる。
【０００５】
請求項２の発明によれば、特定の景品との景品交換を希望する遊技者は、計数装置の景品選択手段に対して景品選択操作を行うことにより所望の景品を選択する。すると、計数装置の発行手段は、選択された景品を特定可能な景品情報を記憶媒体に記憶して発行するので、遊技者は、その記憶媒体を景品交換場所に提出する。従業員が交換装置の読取手段により記憶媒体を読取ると、交換装置の表示手段は、対応する景品が保管されている保管場所を特定可能な保管情報を記憶手段が記憶している保管情報に基づいて表示するので、景品、例えばタバコの銘柄に詳しくない、或いは交換業務経験が浅い従業員であっても、交換装置の表示手段の表示に基づいて、遊技者が所望する景品を特定することが容易となる。また、遊技者が希望する景品の銘柄を発声により伝える必要が無くなり、騒音の大きい遊技場であっても景品の交換処理を円滑に実行することができる。
【０００６】
請求項３の発明によれば、従業員が交換装置の読取手段により記憶媒体を読取ると、交換装置の表示手段は、記憶手段が記憶している保管情報に基づいて対応する景品の保管場所を特定可能なように撮像装置が撮像した保管場所画像を表示するので、従業員が保管場所の見当が付くばかりか、その在庫状況も把握でき、景品の銘柄の特定が一層容易となる。
【０００７】
請求項４の発明によれば、交換装置の表示手段は、計数装置より景品情報を得てから読取手段が当該景品情報が記憶された記憶媒体を読取るまでの交換処理待機期間中に、計数装置から得た景品情報を表示するので、更に交換業務が円滑化される。また、交換処理待機中に景品情報が表示されることから、従業員が余裕を持って景品を準備しておくことができる。
【発明を実施するための最良の形態】
【０００８】
以下、本発明の一実施例について図面を参照しながら説明する。
図１は、遊技場用景品交換システム全体を概略的に示している。この図１において、遊技場としてのパチンコホールには、パチンコ機（遊技機に相当）１に対応して台毎端末２が設置されている。この台毎端末２は台間玉貸機の機能を有しており、遊技者は当該台毎端末２からパチンコ玉（遊技媒体に相当）を借り受けてパチンコ機１で遊技を行うようになっている。
【０００９】
パチンコ機１に対応して呼出ランプユニット３が設置されている。この呼出ランプユニット３は、対応するパチンコ機１の稼動状態を収集して出力すると共に、パチンコ機１の稼動情報に応じて所定のランプを点灯或いは点滅したり、呼出ボタンに対する操作に応じて呼出ランプを点灯したりする。
【００１０】
呼出ランプユニット３、計数機（計数装置、計数手段、発行手段、景品選択手段に相当）４、ＰＯＳ端末（交換装置、読取手段、表示手段、記憶手段、設定手段に相当）５は、管理装置６と、例えば店舗内ＬＡＮ７によりネットワーク接続されている。
管理装置６は、各台毎端末２による売上状態、各パチンコ機１の稼動状態、計数機４の計数処理に基づく計数状況の管理、ＰＯＳ端末５での景品の交換状況、在庫状況などを管理すると共に、計数機４やＰＯＳ端末５の設定を管理している。尚、計数機４、ＰＯＳ端末５でも各々の状況を管理するようになっている。
【００１１】
計数機４は、遊技場内の複数箇所(例えば島端)に設置されている。図２は、計数機４を示す斜視図である。この計数機４は、遊技者が獲得したパチンコ玉を計数処理して、景品交換に必要となるレシート（記憶媒体に相当）を発行するようになっている。
計数機４には、遊技者が獲得したパチンコ玉を投入するための投入部８、表面にタッチパネルを有した液晶パネルより構成される表示部９、押圧操作により計数結果や景品情報などを記録したレシートを発行する通常のレシート発行処理を行うための発行ボタン１０、返却ボタン１１、レシートを発行するためのレシート発行部１２、当該レシートを発行する際に端数を余り玉として返却するための返却口１３が備えられている。
【００１２】
図３は、レシート発行部１２より発行されるレシートの一例を示している。図３において、レシート１００には、パチンコホール名、計数値、遊技者が選択したタバコ名称（但し、後述するように遊技者が景品選択操作を行った場合のみ印刷される）、計数値及びタバコ名称の景品情報をＰＯＳ端末５で読み取らせるためのバーコード、当該レシート１００の景品交換が当日のみ有効という注意を促す「当日限り有効」のメッセージが印刷されている。尚、本実施例では、タバコが特定の景品に相当する。
【００１３】
図１に戻って、ＰＯＳ端末５は、景品交換カウンタに設置されている。このＰＯＳ端末５は、遊技者が提出したレシート１００から計数値や景品情報を示すバーコードを図示しないスキャナで読み取るためのものである。また、ＰＯＳ端末５には、表面にタッチパネルを有した液晶パネルより構成される表示部１４、本発明に関連してカメラ（撮像装置に相当）１５が備えられている。このカメラ１５は、景品交換カウンタ後方に設置されたタバコ棚を撮像するためのものである。
【００１４】
図４はタバコ棚の斜視図を示している。この図４に示すように、タバコ棚１６は棚板１７により上下二段に仕切られており、各棚板１７に１〜１２の棚番が付されている。この棚板１７には、タバコの銘柄毎に景品交換用のタバコが積まれており、同一の棚番には同一銘柄のタバコが積まれている。
【００１５】
計数機４には、本発明に関連してタバコ設定メモリが設けられている。図５は、タバコ設定メモリの一例を示している。このタバコ設定メモリ１８は書き換え可能な不揮発性メモリであり、景品交換の際に必要となる玉数に対応してタバコがグループ分けされていると共に、当該玉数に対応して対応計数値が設定されている。この対応計数値とは、タバコとの交換の際に必要となる玉数に対応する計数機４による計数値である。具体的には、玉数６０玉に対応する計数値は６０〜６５玉である。図５に示す設定は任意に変更可能である。
【００１６】
一方、ＰＯＳ端末５には、ＰＬＵ（Price Look Up）釦が設けられており、このＰＬＵ釦に対応した情報を記憶したＰＬＵ設定メモリが設けられている。図６は、ＰＬＵ設定メモリの一例を示している。ＰＬＵ設定メモリ１９は書き換え可能な不揮発性メモリであり、タバコ名称に対応して、玉数、保管場所（棚番）、タバコ名称を示すバーコード情報、タバコ名称を示すＰＬＵ釦が設定操作により記憶されている。
【００１７】
次に上記構成の作用について説明する。
図９は、計数機４の計数機処理を示すフローチャートである。この図９において、計数機４はパチンコ玉を計数開始するかを監視している（Ｓ１０１）。
遊技者が獲得したパチンコ玉を投入部８に投入すると、計数機４は計数を開始するようになるので（Ｓ１０１：ＹＥＳ）、投入部８に投入されたパチンコ玉がカウントアップで計数する計数処理を実行する（Ｓ１０２）。この計数処理は、所定時間内に次のパチンコ玉が検出されなくなるまで繰返して実行する（Ｓ１０３：ＮＯ）。
【００１８】
計数処理が終了すると（Ｓ１０３：ＹＥＳ）、遊技者がタバコ交換を希望する場合は表示部９をタッチすることを示すメッセージを表示部９に表示する。遊技者が表示部９に対してタッチ操作を行うと（Ｓ１０４：ＹＥＳ）、計数機４は、ステップＳ１０２の計数処理で計数された計数値が、図５に示すタバコ設定メモリ１８に記憶された対応計数値の何れかに該当するかを判断する（Ｓ１０５）。
【００１９】
尚、ステップＳ１０４において、遊技者が表示部９にタッチ操作を行わずに（Ｓ１０４：ＮＯ）、所定時間が経過した場合は（Ｓ１０６：ＹＥＳ）、通常のレシート発行処理が行われる（Ｓ１０７）。すなわち、遊技者が発行ボタン１０に押圧操作を行うことで全計数値のレシート１００が発行され、返却ボタン１１に押圧操作を行うことでパチンコ玉を特別景品に交換する場合の端数が余り玉として返却口１３より返却され、残りの計数値が印刷されたレシート１００が発行される。
【００２０】
ステップＳ１０２で、計数機４により計数された計数値が、タバコ設定メモリ１８の対応計数値の何れかに該当する場合は（Ｓ１０５：ＹＥＳ）、表示部９に景品選択画面を表示する（Ｓ１０８）。つまり、計数値が６０玉〜６５玉に該当する場合は、交換玉数が６０玉のタバコＡ〜Ｄに対応した景品選択画面を表示し、計数値が６６玉〜６９玉に該当する場合は、交換玉数が６６玉のタバコＥ〜Ｉに対応した景品選択画面を表示し、計数値が７０玉〜１００玉に該当する場合は、交換玉数が７０玉のタバコＪ〜Ｌに対応した景品選択画面を表示する。
【００２１】
図７は、景品選択画面の一例を示している。この景品選択画面２０には、景品交換に６６玉のパチンコ玉が必要となるタバコＥ〜ＩのうちＥ〜Ｈの写真と銘柄が対応して表示されており、その他に、タバコの交換に必要な玉数、タッチ操作によりタバコ銘柄を選択することを遊技者に促す「希望の銘柄を選択下さい」というメッセージ、「次頁」ボタン２１、「６０玉」ボタン２２、「７０玉」ボタン２３、「キャンセル」ボタン２４が表示されている。尚、タバコ銘柄は、景品選択画面２０の初期画面に最大４種類まで表示されるようになっている。
【００２２】
景品選択画面２０において、遊技者が「次頁」ボタン２１、「６０玉」ボタン２２、「７０玉」ボタン２３の何れかのボタンに対してタッチ操作を行うと、計数機４は、図９に示すように画面切替操作が有ったと判断し（Ｓ１０９：ＹＥＳ）、タッチ操作が行われるボタンに対応して景品選択画面２０の表示を切り替える（Ｓ１１０）。つまり、「次頁」ボタン２１に対してタッチ操作が行われた場合は、景品選択画面２０の初期画面に表示されるタバコの写真と銘柄を一つ左にスクロールすると同時に景品選択画面２０の初期画面に表示されなかったタバコＩの写真と銘柄を対応して表示する。「６０玉」ボタン２２、「７０玉」ボタン２３に対してタッチ操作が行われた場合は、夫々のボタンに表記されている玉数に該当するタバコ銘柄を表示する。
【００２３】
尚、計数値が６６玉〜６９玉の場合は、図７に示す「６０玉」ボタン２２の代わりに図示しない「６６玉」ボタンが表示され、計数値が７０玉〜１００玉の場合は、図７に示す「７０玉」ボタン２３の代わりに「６６玉」ボタンが景品選択画面２０に表示され、各ボタンに対してタッチ操作が行われた場合は、夫々のボタンに表記されている玉数に該当するタバコ銘柄が景品選択画面２０に表示される。
計数機４は、図９に示すステップＳ１０２で計数された計数値が５９玉以下又は１０１玉以上で、タバコ設定メモリ１８の対応計数値の何れにも該当しない場合は（Ｓ１０５：ＮＯ）、景品選択画面２０を表示することなく通常のレシート発行処理を実行する（Ｓ１０７）。
【００２４】
さて、遊技者が、遊技中にタバコを吸いたくなったり、遊技中に手持ちのタバコを吸い終わってしまったりした際に、手持のパチンコ玉を景品としてのタバコと交換したい場合は、手持のパチンコ玉を計数機４の投入部８へ投入し、その計数値が所望のタバコとの交換に必要となる玉数となったところで投入を停止する。すると、計数機４の表示部９には、図７に示すように投入玉数に対応する景品選択画面２０が表示されるので、上述したように景品選択画面２０に対する操作により所望のタバコを表示した状態で、所望のタバコの表示部位をタッチ操作する。
【００２５】
計数機４は、景品が選択されたと判断し（Ｓ１１１：ＹＥＳ）、選択されたタバコ銘柄などの景品情報を含むレシートデータを作成し（Ｓ１１２）、選択されたタバコ銘柄の景品情報をＬＡＮ７を介してＰＯＳ端末５に送信する（Ｓ１１３）。
尚、遊技者がタバコ銘柄の選択を行わず（Ｓ１１１：ＮＯ）、景品選択画面２０に表示される「キャンセル」ボタン２４をタッチ操作した場合は（Ｓ１１４：ＹＥＳ）、通常のレシート発行処理を実行する（Ｓ１０７）。
【００２６】
次に、計数機４は、ステップＳ１１２で作成したレシートデータに基づいて図３に示すレシート１００をレシート発行部１２より発行すると共に（Ｓ１１５）、ステップＳ１０２で計数した計数値と、ステップＳ１１１で選択されたタバコとの交換に必要な玉数との差分に相当する余り玉を返却口１３より返却してから（Ｓ１１６）、計数値をリセットすることにより（Ｓ１１７）、計数機処理を終了する。この場合、選択されたタバコとの交換に必要な玉数との差分が「０」の場合は、余り玉を返却しないことは勿論である。
【００２７】
このように構成すれば、予め余り玉を返却できるので、余り玉返却機能を持たないＰＯＳ端末５において交換を行う場合に、余り玉に対する遊技者が希望しない景品交換が発生せず、遊技者は、希望しない景品を手にしなくとも良くなり、遊技店は、無駄な景品を用意しなくとも良くなる。
【００２８】
図１１は、ＰＯＳ端末５の景品情報受信処理のフローチャートを示している。ＰＯＳ端末５は、計数機４より景品情報を受信するか（Ｓ３０１）、景品情報表示フラグがセットされるか（Ｓ３０３）を監視している。計数機４より景品情報を受信したときは（Ｓ３０１：ＹＥＳ）、景品情報表示フラグをセットする（Ｓ３０２）。この景品情報表示フラグとは、景品情報を表示することを示すフラグである。
【００２９】
このように景品情報表示フラグをセットした状態では（Ｓ３０３：ＹＥＳ）、交換処理中フラグがリセットされているかを判断する（Ｓ３０４）。この交換処理中フラグとは、交換処理中であることを示すフラグである。この場合、交換処理中フラグはリセットされているので（Ｓ３０４：ＹＥＳ）、所定時間だけ景品情報を表示部１４に表示すると共に（Ｓ３０５）、景品情報表示フラグをリセットしてから（Ｓ３０６）、リターンする。これにより、表示部１４には、例えば「××番計数機にて、タバコＦが選択されました。保管場所は６番です。」といった景品情報が所定時間表示される。このように景品情報が表示されることにより交換処理待機期間となる。
【００３０】
従って、景品交換担当の従業員は、交換処理待機期間において、予め遊技者が所望するタバコを用意しておくことが可能となるので、景品交換業務を円滑に実行することができる。また、交換処理待機期間中に景品情報が表示されることから、従業員が余裕を持って景品を準備しておくことができる。
さて、遊技者が上述のようにして計数機４で発行されたレシート１００を景品交換カウンタで従業員に提出すると、従業員は、ＰＯＳ端末５に備えられたスキャナで、レシート１００の景品情報が記録されたバーコードを読み取る。
【００３１】
図１０は、ＰＯＳ端末５における景品交換処理のフローチャートを示している。この図１０に示すように、ＰＯＳ端末５は、レシートを読取った場合は（Ｓ２０１：ＹＥＳ）、交換処理待機期間から交換処理期間に移行することに伴って交換処理中フラグをセットしてから（Ｓ２０２）、レシート１００に景品情報が記録されているかの判定を行う（Ｓ２０３）。この場合、レシート１００には景品情報が記録されているので（Ｓ２０３：ＹＥＳ）、表示部１４に最新の保管場所を表示する（Ｓ２０４）。つまり、後述するようにＰＯＳ端末５に備えられたカメラ１５でタバコ棚１６を撮像した最新の保管場所画面を表示部１４に表示するのである。このとき、ＰＯＳ端末５は、図６に示すＰＬＵ設定メモリの記憶内容に基づいてタバコの保管場所を判断し、その保管場所を強調表示する。
尚、ステップＳ２０３で、ＰＯＳ端末５がレシート１００に景品情報が記録されていないと判断した場合は（Ｓ２０３：ＮＯ）、通常の景品交換処理が行われ（Ｓ２０５）、交換処理中フラグをリセットしてから（Ｓ２１３）、リターンする。
【００３２】
図８には、表示部１４に表示される保管場所画面の一例が示されている。この保管場所画面２６には、計数機４で計数した交換玉数、計数機４で遊技者が選択したタバコ銘柄、カメラ１５で撮像されたタバコ棚１６の最新の画像が表示され、さらに遊技者が選択したタバコ銘柄の保管位置が強調表示される。図８に示す例では、保管場所画面２６には、タバコＦが保管されている棚番６が枠線からなる特定表示部Ｘ（保管場所情報に相当）により強調表示されている。これにより、従業員は、遊技者が希望するタバコがタバコ棚１６のどの位置に置かれているか一目で判断することができるので、遊技者が希望するタバコを容易に取出すことができる。尚、景品選択画面２０に表示されるタバコ棚１６の表示大きさ（高さ、幅等）、位置は、ＰＯＳ端末５の設定操作により任意に変更できる。
【００３３】
従業員は、保管場所画面２６に表示されているタバコ棚１６から、遊技者が選択することにより強調表示されているタバコを取出し、遊技者に手渡す前に、タバコに表記されている商品識別の為のバーコードをＰＯＳ端末５に読み込ませたり、対応するＰＬＵ釦を押圧操作したりする。
【００３４】
ＰＯＳ端末５は、景品のバーコードを読取るか、ＰＬＵ釦が操作されたときは（Ｓ２０６：ＹＥＳ）、保管場所画面２６の表示を終了してから（Ｓ２０７）、景品交換が終了したことを確定する（Ｓ２１０）。つまり、遊技者に手渡したタバコ銘柄の在庫数が一つ減った在庫状況を記録管理する。この際、ＰＯＳ端末５は、在庫状況を管理装置６に送信して、管理装置６でも在庫状況の記録管理が行われる。
【００３５】
尚、ＰＯＳ端末５は、景品のバーコードを読取るか、ＰＬＵ釦が操作されたときは、図６に示すＰＬＵ設定メモリ１９に基づいて、遊技者に手渡されるタバコ銘柄がレシート１００から読取ったタバコ銘柄と一致するかを判断し、異なっていた場合は、エラーを報知するようになっている。
【００３６】
また、ステップＳ２０６において、保管場所画面２６に表示される「キャンセル」ボタン２７にタッチ操作が行われた場合は（Ｓ２０８：ＹＥＳ）、保管場所画面２６の表示を終了し（Ｓ２０９）、通常の景品交換処理を実行すると共に（Ｓ２０５）、交換処理中フラグをリセットしてから（Ｓ２１３）、リターンする。
【００３７】
以上のようにして景品交換が終了すると、タバコ棚１６の在庫状況が変化するため、次回の景品交換時に表示する保管場所画面２６を更新する必要を生じる。従って、ＰＯＳ端末５は、カメラ１５でタバコ棚１６を撮像すると共に（Ｓ２１１）、保管場所画面２６におけるタバコ棚１６の画像更新処理を行ってから（Ｓ２１２）、交換処理中フラグをリセットして（Ｓ２１３）、リターンすることにより景品交換処理を終了する。
【００３８】
一方、ＰＯＳ端末５は、図１１に示すように、計数機４より景品情報を受信することにより（Ｓ３０１：ＹＥＳ）、景品情報表示フラグをセットするにしても（Ｓ３０２）、景品交換処理中のために交換処理フラグをセットしている場合は（Ｓ３０４：ＮＯ）、景品情報を表示することはないので、現在行われている景品交換に関する景品情報の表示が消されることが防止され、景品交換処理に支障を生じることを防止できる。この場合、現在の景品交換処理が終了して交換処理フラグをリセットしたところで（Ｓ３０４：ＹＥＳ）、景品情報を表示するので（Ｓ３０５）、次の景品交換の準備を直ちに行うことができる。
【００３９】
このような実施例によれば、景品情報が記録されたレシート１００をＰＯＳ端末５に読み取らすことで、遊技者が選択したタバコ銘柄の保管場所が、保管場所画面２６に表示されるカメラ１５によって撮像されたタバコ棚１６を表示する保管場所画面２６上に強調表示されるので、従業員は保管場所画面２６に表示されるタバコ棚１６の画像から、遊技者が希望するタバコの保管場所を直に把握することができ、円滑な景品交換業務を行うことが可能となる。
【００４０】
また、計数機４で遊技者が希望するタバコ銘柄を選択して、その景品情報が記録されたレシート１００を景品交換カウンタで従業員に渡すだけでよいので、遊技者は景品交換カウンタで希望するタバコ銘柄を発声により従業員に伝える手間が省け、従業員も騒音の大きいパチンコホール内であっても遊技者の希望するタバコ銘柄を直に特定することが可能となる。
【００４１】
さらに、遊技者が計数機４の表示部９に表示される景品選択画面２０において、希望するタバコ銘柄をタッチ操作により選択すると、その景品情報がＬＡＮ７を介してＰＯＳ端末５に送信されて表示されるので、従業員はタバコ銘柄を選択した遊技者が景品交換カウンタにレシート１００とタバコを交換しに来る前に、当該遊技者が希望するタバコを予め準備しておくことができ、さらに円滑な景品交換業務を行うことが可能となる。
【００４２】
本発明は、上記実施例に限定されることなく、次のように変形または拡張できる。
計数機４で発行するレシート１００は、例えばカード等のレシート１００以外の記憶媒体であってもよい。
レシート１００に、遊技者が選択したタバコ銘柄を特定可能なように、例えばタバコの写真などの外観等を表記するようにしてもよい。
レシート１００には、ＰＯＳ端末５のＰＬＵ設定メモリ１９で管理される遊技者が選択したタバコ銘柄の保管場所となる棚番のみを表記してもよい。このようにすれば、遊技者の選択したタバコ銘柄を、従業員がタバコ棚１６を見て直ちに特定することができる。
【００４３】
計数機４で計数されるパチンコ玉数が１００玉以上の場合にも景品選択が出来るような構成としてもよく、その場合には、遊技者がタバコ銘柄を選択した場合は選択したタバコ銘柄の交換に必要な玉数と計数値との差分に対して通常のレシート発行処理を行うようにしてもよい。
計数機４における計数機処理中に選択操作や景品選択画面２０の表示を行うようにしてもよい。
計数機４の景品選択画面２０において、一度に複数の景品を選択出来るようにしてもよい。
【００４４】
計数機４で遊技者が景品を選択した際に、ＰＯＳ端末５に当該景品の在庫状況を問い合わせ、在庫がない場合には景品を選択できないようにしてもよい。このようにすれば、遊技者が希望する景品の在庫がない場合に、パチンコ玉を追加して玉数の多い景品、或いは計数したパチンコ玉を返却することで少ない景品を交換するためのレシート１００を発行することが可能になり、当初選択しようとしていた景品の交換に必要な玉数とは異なる交換可能な景品への選択変更が可能となる。
【００４５】
計数機４からＰＯＳ端末５に在庫状況を問い合わせる構成とした場合に、遊技者が特定のタバコ銘柄を指定することで作成される記憶媒体の発行に応じて、ＰＯＳ端末５の表示部１４に景品を確保するように表示するようにしてもよい。このようにすれば、レシート１００が発行されてから景品交換を行うまでの間に他の遊技者が景品交換することで、先に景品の選択をした遊技者の景品が無くなるといった問題を防止することができる。
【００４６】
計数機処理時に、遊技者が投入部８に投入したパチンコ玉の計数値に対応したタバコ銘柄が優先的に表示されるとしたが、一番価格の安いタバコＡから順に優先的に表示される構成としてもよい。
計数機４でレシート１００の発行が行われると、ＰＯＳ端末５に景品情報が送信されて当該景品情報に基づくメッセージ表示がされ、ＰＯＳ端末５で前記レシート１００の景品情報を読み取ると、カメラ１５で撮像された最新の画像が表示された保管場所画面２６に、遊技者が選択したタバコ銘柄の保管場所を強調表示するとしたが、表示方法はどのように組み合わせてもよく、表示部９と表示部１４の両方にカメラ１５で撮像した最新の画像を表示してもよい。
【００４７】
景品交換中に、計数機４で他の遊技者がタバコ銘柄を選択した場合、ＰＯＳ端末５では他の遊技者が選択したタバコ銘柄を含む景品情報を表示しないとしたが、表示部１４に表示可能な構成としてもよい。
計数機４、ＰＯＳ端末５は貯玉システムに対応するように構成されていてもよく、遊技者が蓄えたパチンコ玉の玉数情報が記録されたカードで、レシート１００の発行又は景品の交換を行えるようにしてもよい。
【００４８】
表示部１４が、景品交換カウンタの遊技者側に向いていてもよく、計数機４において通常のレシート発行処理で発行されたレシート１００と引き換えに、当該景品交換カウンタで選択可能な構成としてもよい。
保管場所画面２６では、遊技者が選択したタバコ銘柄の保管場所を強調表示するとしたが、例えば特定表示部Ｘの枠線を矢印で示すことで強調表示してもよく、おおよそ検討が付く程度の強調表示がされていればよい。
【００４９】
ＰＯＳ端末５にカメラ１５を設けており、当該カメラ１５で撮像された画像を表示部１４に表示するとしたが、ＰＯＳ端末５にカメラ１５を設けずに、例えば遊技者が選択したタバコ銘柄の保管場所となる棚番をメッセージで表示しても良いし、カメラ１５が撮像した画像以外の画像で保管場所を特定できるような画像（例えば、予めＣＧ（computer graphics）により作成した画像など）により保管場所を表示するようにしても良い。
【００５０】
ＰＯＳ端末５にカメラ１５が備えられているとしたが、ＰＯＳ端末５に備えられていなくてもよく、タバコ棚１６を撮像できる場所であれば、何処に備えられていてもよい。
計数機処理で景品交換が行われると、カメラ１５の撮像画像を更新するとしたが、所定時間毎にカメラ１５で撮像を行うことで画像を更新してもよく、他の所定のタイミングで画像を更新してもよい。
【００５１】
管理装置６を設けるようにしたが、計数機４とＰＯＳ端末５とが接続されていれば、管理装置６を設けなくてもよく、この場合、管理装置６の機能を計数機４あるいはＰＯＳ端末５に持たせ、計数機４やＰＯＳ端末５のみでシステムを構成するようにしてもよい。
遊技媒体は、パチンコ玉に限定されるものではなく、メダル等であってもよい。
交換可能な景品は、タバコに限定されるものではなく、チョコレート等の他の景品であってもよい。
ＰＯＳ端末５において、景品情報が記憶されていないレシート１００を読み取った場合であっても、ＰＬＵ釦の操作等に応じて景品表示する場合に保管場所画面を表示するようにしても良い。
【図面の簡単な説明】
【００５２】
【図１】本発明の一実施例を示す全体構成図
【図２】計数機の斜視図
【図３】レシートの一例を示す図
【図４】タバコ棚の斜視図
【図５】タバコ設定用メモリの一例を示す図
【図６】ＰＯＳ端末用ＰＬＵ設定メモリの一例を示す図
【図７】計数機の景品選択画面の一例を示す図
【図８】ＰＯＳ端末の保管場所画面の一例を示す図
【図９】計数機の計数機処理を示すフローチャート
【図１０】ＰＯＳ端末の景品交換処理を示すフローチャート
【図１１】ＰＯＳ端末の景品情報受信処理を示すフローチャート
【符号の説明】
【００５３】
図面中、１はパチンコ機（遊技機）、４は計数機（計数装置、計数手段、発行手段、計数装置、景品選択手段）、５はＰＯＳ端末（交換装置、読取手段、表示手段、交換装置、記憶手段、設定手段）、６は管理装置、１５はカメラ（撮像装置）、１００はレシート（記憶媒体）を示す。
【図１】
2008079795.tif 000003
【図２】
2008079795.tif 000004
【図３】
2008079795.tif 000005
【図４】
2008079795.tif 000006
【図５】
2008079795.tif 000007
【図６】
2008079795.tif 000008
【図７】
2008079795.tif 000009
【図８】
2008079795.tif 000010
【図９】
2008079795.tif 000011
【図１０】
2008079795.tif 000012
【図１１】
2008079795.tif 000013